(57)【特許請求の範囲】
【請求項１】
複数の診療提供者が、リソースと、スペースと、モノと、を共有する歯科診療を管理する歯科診療管理システムであって、
前記診療提供者が使用する診療提供者端末と、診療を要求する利用者が使用する利用者端末と、前記利用者端末からの診療要求を受け付ける管理サーバと、がネットワークを介して通信可能に接続され、
前記管理サーバは、前記診療要求に応じて、診療時間毎に前記診療提供者に関連付けて、前記リソース、前記スペースおよび前記モノのいずれか複数を割り当てた割当情報を生成する割当手段を備え、
前記診療要求は、少なくとも主訴情報を含み、
前記管理サーバは、
前記診療提供者が前記ネットワークを介して閲覧可能な記憶部に前記割当情報を登録する登録手段を備え、
前記割当手段は、前記主訴情報に基づいて予め準備された診療方法を選択し、選択した診療方法に対して予め定められた前記リソース、前記スペースおよび前記モノを自動的に割り当てることで前記割当情報を生成し、
前記診療要求は、複数の前記診療提供者の中の１人を指名する指名情報を含み、
前記診療要求に含まれる指名情報で指名された診療提供者が使用する診療提供者端末は、当該診療要求に応じて登録された割当情報にアクセスし、
前記管理サーバは、
前記記憶部に前記指名情報で特定される診療提供者に対して登録された前記割当情報において、前記診療方法と、自動的に割り当てられた前記リソース、前記スペースおよび前記モノと、のうちの少なくとも１つを当該診療提供者によって修正することを許可する修正許可手段を備える
ことを特徴とする診療管理システム。
【請求項２】
前記リソースは、前記診療提供者による診療に協力する人物と、前記診療提供者の診療を支援するソフトウェアと、のうちの少なくとも１つを含み、
前記スペースは、前記診療提供者が診療を行う診療区画および医院の少なくとも１つを含み、
前記モノは、前記診療提供者が診療中に使用する診療機器である
ことを特徴とする請求項１に記載の診療管理システム。
【請求項３】
前記診療方法には、一般的な診療方法と、前記利用者が希望する診療方法と、が含まれ、
前記診療要求は、前記利用者が希望する診療方法をさらに含み、
前記割当手段は、前記主訴情報と前記利用者が希望する診療方法とに基づいて予め準備された前記リソース、前記スペースおよび前記モノを自動的に割り当てることで前記割当情報を生成する、
ことを特徴とする請求項１または請求項２に記載の診療管理システム。
【請求項４】
前記管理サーバは、
前記割当情報に基づいて、前記診療提供者に割り当てられた前記リソース、前記スペースおよび前記モノのそれぞれの単位時間当たりの単価および稼働時間に応じた稼働課金を算出する課金算出手段を備える
ことを特徴とする請求項１から請求項３のいずれか一項に記載の診療管理システム。
【請求項５】
前記課金算出手段は、前記稼働課金として、前記リソースの稼働時間に対応した課金と、前記スペースの使用時間に対応した課金と、前記モノの作動時間に対応した課金と、の和を算出する
ことを特徴とする請求項４に記載の診療管理システム。
【請求項６】
前記モノの作動時間として、診療中に使用する診療機器の実作動時間を計測する作動時間計測手段を備えている
ことを特徴とする請求項５に記載の診療管理システム。
【請求項７】
前記課金算出手段は、前記稼働課金として、前記リソース、前記スペースおよび前記モノのすべてに共通する予め設定された拘束時間に対応した課金を算出する
ことを特徴とする請求項４に記載の診療管理システム。
【請求項８】
前記管理サーバは、前記リソース、前記スペースおよび前記モノを貸し出すと共に費用を総合管理する管理者によって管理され、
前記割当情報に基づいて、前記稼働課金を前記管理者から前記診療提供者に請求する請求書を発行する請求書発行手段を備える
ことを特徴とする請求項４から請求項７のいずれか一項に記載の診療管理システム。
【請求項９】
複数の診療提供者が共有する前記モノには、複数の診療提供者が共有する前記スペース以外の外部で滅菌された歯科用インスツルメントを含む
ことを特徴とする請求項４から請求項８のいずれか一項に記載の診療管理システム。
【請求項１０】
前記歯科用インスツルメントは、その使用個数に応じて定額料金にて管理されたインスツルメントである
ことを特徴とする請求項９に記載の診療管理システム。
【請求項１１】
前記課金算出手段は、複数の診療提供者が共有する前記モノであって再使用可能なモノについて、前記モノの累積使用回数または累積使用時間が増加するほど、当該モノの単位時間当たりの単価を低く変化させて前記稼働課金を算出する
ことを特徴とする請求項４から請求項１０のいずれか一項に記載の診療管理システム。
【請求項１２】
前記割当手段は、ネットワークを介して、前記利用者端末に日程、場所および担当者の少なくとも１つの項目に対する条件が表示されるＷｅｂページ画面の情報を提供し、前記利用者端末に表示された前記Ｗｅｂページ画面から選択入力された利用者が希望する条件を前記診療要求として取得し、
前記項目に対する条件は、表示時点で前記利用者によって選択可能に空いている情報のみである
ことを特徴とする請求項１から請求項１１のいずれか一項に記載の診療管理システム。
【請求項１３】
前記割当手段は、ネットワークを介して、前記利用者端末に日程、場所および担当者の少なくとも１つの項目に対する条件が表示されるＷｅｂページ画面の情報を提供し、前記利用者端末に表示された前記Ｗｅｂページ画面から選択入力された利用者が希望する条件を前記診療要求として取得し、
前記項目に対する条件には、少なくとも１つの代替案が予め準備されており、
前記割当手段は、前記項目に対する条件を選択した利用者に対して当該条件を提供できない場合、前記項目に対する条件に対して準備されている代替案を提示する
ことを特徴とする請求項１から請求項１１のいずれか一項に記載の診療管理システム。
【発明の詳細な説明】
【技術分野】
【０００１】
本発明は、歯科診療管理システムに関する。
【背景技術】
【０００２】
人口１０万対歯科医師数は増加傾向にある（昭和４０年：３４．７人、平成２８年：８２．４人：中医協令和元年資料から）。それ故、歯科医院の経営も年々厳しくなり、開業資金もかかることから、開業に必要な装置や機材の導入が困難となり個人での開業も難しい時代になってきている。また、う蝕や歯周病は、適切な対策により発症を予防し、進行を抑制することが可能であることから、患者の状況に合わせた指導管理等が求められる。それ故、患者から信頼される、かかりつけ歯科医師が求められるようになってきている。
【０００３】
また近年、審美歯科の水準は年々向上しており、チェーン店展開している審美歯科も多い。審美歯科では、一般歯科医よりもコミュニケーション能力を持った医師も多く、特にデンタルエステや歯のホワイトニング等、歯の診断や歯を削る作業の無い業務においては、女性の衛生士が医師の指導のもと活躍する場も多くなっている。さらに、歯科診療においては、日常的に唾液もしくは血液に触れる環境下で多くの器械・器具を使用しているためそれらの滅菌や衛生管理を行うための装置や人材が必要であるが、それらの削減を目的とした医院外での滅菌やメンテナンスを行う外注業者の要望も増えている。
【０００４】
そのため、歯科業界においてこれらニーズに対応できるように、歯科医師や歯科衛生士といった診療提供者が働き易いシステムの構築が望まれている。診療提供者の勤労形態としては、開業医等の医院に所属している場合だけでなく、今後は、例えばフリーランスの歯科医師やフリーランスの歯科衛生士も増加するものと考えられている。業界は異なるが、従来、美容院店舗に、複数のレンタル用のスペースを配置して、スペースのスケジュールを格納するテーブルの情報に基づいて、日時、サービスを提供するフリーランス美容師及び利用者の割り当て処理を行うシステムが知られている（特許文献１参照）。
【先行技術文献】
【特許文献】
【０００５】
【特許文献１】特許第６５０３００３号公報
【発明の概要】
【発明が解決しようとする課題】
【０００６】
特許文献１に記載されたシステムは、単に、フリーランス美容師等がスペースを共用するためのスケジュール管理を行うものであり、働き易さの観点では不十分なシステムであった。また、特許文献１に記載されたシステムでは、サービス提供者（美容師）が使用する道具や資源等について全く考慮されていなかった。一方、診療提供者の働き易さの観点では、高価な診療機器（モノ）、診療をアシストする高価な画像処理ソフトウェア（コンピューティングリソース）、診療をアシストする診療支援者（ヒューマンリソース）の管理についての考慮も必要ではないかと考えられる。しかしながら、そのようなシステムはこれまで知られていなかった。
【０００７】
本発明は、前記した事情に鑑みてなされたものであり、診療に用いるリソース、スペースおよびモノを管理すると共に診療提供者が働き易い歯科診療管理システムを提供することを課題とする。
【課題を解決するための手段】
【０００８】
前記課題を解決するため、本発明に係る歯科診療管理システムは、複数の診療提供者が、リソースと、スペースと、モノと、を共有する歯科診療を管理する歯科診療管理システムであって、前記診療提供者が使用する診療提供者端末と、診療を要求する利用者が使用する利用者端末と、前記利用者端末からの診療要求を受け付ける管理サーバと、がネットワークを介して通信可能に接続され、前記管理サーバは、前記診療要求に応じて、診療時間毎に前記診療提供者に関連付けて、前記リソース、前記スペースおよび前記モノのいずれか複数を割り当てた割当情報を生成する割当手段を備え、前記診療要求は、少なくとも主訴情報を含み、前記管理サーバは、前記診療提供者が前記ネットワークを介して閲覧可能な記憶部に前記割当情報を登録する登録手段を備え、前記割当手段は、前記主訴情報に基づいて予め準備された診療方法を選択し、選択した診療方法に対して予め定められた前記リソース、前記スペースおよび前記モノを自動的に割り当てることで前記割当情報を生成し、前記診療要求は、複数の前記診療提供者の中の１人を指名する指名情報を含み、前記診療要求に含まれる指名情報で指名された診療提供者が使用する診療提供者端末は、当該診療要求に応じて登録された割当情報にアクセスし、前記管理サーバは、前記記憶部に前記指名情報で特定される診療提供者に対して登録された前記割当情報において、前記診療方法と、自動的に割り当てられた前記リソース、前記スペースおよび前記モノと、のうちの少なくとも１つを当該診療提供者によって修正することを許可する修正許可手段を備えることを特徴とする。
【発明の効果】
【０００９】
本発明によれば、診療に用いるリソース、スペースおよびモノを管理すると共に診療提供者が働き易い歯科診療管理システムを提供することができる。
また、本発明によれば、歯科診療管理システムに関わるそれぞれの当事者にとって以下に示す優れた効果を奏する。
フリーランスの歯科医師やフリーランスの歯科衛生士は、職場環境が与えられることで高度な専門能力を発揮し易くなる。開業したい歯科医師は、開業資金が十分ではなくとも医院経営が可能となる。開業したい歯科衛生士は、独立開業する道を開くことができる。利用者は、希望に沿った診療提供を享受できる。診療提供者は、利用者との信頼関係に基づいて長期にわたる診療が可能となる。リソース、スペースおよびモノを提供する管理者は、フランチャイズ展開が可能となる。
【図面の簡単な説明】
【００１０】
【図１】本発明の第１実施形態に係る歯科診療管理システムの模式図である。
【図２】図１の歯科診療管理システムにおける診療要求の一例であって、図２（ａ）は利用者Ａの診療要求、図２（ｂ）は利用者Ｂの診療要求をそれぞれ示している。
【図３】図２の診療要求に対して予め準備されたリソース、スペース、モノの一例である。
【図４】歯科医師Ａに関連付けて割り当てられた割当情報の一例である。
【図５】歯科医師Ｂに関連付けて割り当てられた割当情報の一例である。
【図６】９時からの時間帯で歯科医師Ａ，Ｂに割り当てられた割当情報の模式図である。
【図７】診療要求処理の流れを示すフローチャートである。
【図８】治療方法修正処理の流れを示すフローチャートである。
【図９】修正処理の具体例を示す模式図であって、図９（ａ）は修正前の治療方法、図９（ｂ）は修正前のモノ、図９（ｃ）は修正後の治療方法、図９（ｄ）は修正後のモノをそれぞれ示している。
【図１０】外部で滅菌された歯科用インスツルメントを含む割当情報の模式図である。
【図１１】本発明の第２実施形態に係る歯科診療管理システムの模式図である。
【図１２】図１１の歯科診療管理システムにおける診療要求の一例であって、図１２（ａ）は利用者Ｇの診療要求、図１２（ｂ）は利用者Ｈの診療要求をそれぞれ示している。
【図１３】図１２の診療要求に対して予め準備されたリソース、スペース、モノの一例である。
【図１４】歯科衛生士Ａに関連付けて割り当てられた割当情報の一例である。
【図１５】歯科衛生士Ｂに関連付けて割り当てられた割当情報の一例である。
【図１６】１０時からの時間帯で歯科衛生士Ａ，Ｂに割り当てられた割当情報の模式図である。
【図１７】変形例に係る診療要求処理の流れを示すフローチャートである。
【図１８】変形例に係る画面表示例を示す模式図であって、図１８（ａ）は最短の日程のみの表示、図９（ｂ）は複数の日程の表示をそれぞれ示している。
【発明を実施するための形態】
【００１１】
［第１実施形態］
本発明の第１実施形態に係る歯科診療管理システムの構成について、図１を参照して説明する。歯科診療管理システムＳは、複数の診療提供者が、リソースと、スペースと、モノと、を共有する歯科診療を管理するシステムである。
診療提供者とは、歯科診療の高度な専門資格を有する者であって、歯科医師または歯科衛生士である。以下では、一例として、２人の歯科医師（歯科医師Ａ、歯科医師Ｂ）が、リソース、スペースおよびモノを共有する歯科診療について説明する。
【００１２】
ここで、リソースには、歯科医師による診療に協力する人物と、歯科医師の診療を支援するソフトウェアと、のうちの少なくとも１つを含む。つまり、割り当てられるリソースは、ヒューマンリソースの場合もあるし、コンピューティングリソースの場合もあるし、それら両方の場合もある。また、スペースとは、歯科医師が診療を行う診療区画および医院の少なくとも１つを含むものである。また、モノとは、歯科医師が診療中に使用する診療機器である。なお、スペース、リソース、モノの具体例については後記する。
【００１３】
また、共有とは、共同で利用可能であることを意味する。例えば、歯科医師Ａ、Ｂが自由に利用できる複数のリソースがある。また、１つのリソースを、歯科医師Ａだけが利用する場合、歯科医師Ｂだけが利用する場合、歯科医師Ａ、Ｂの双方が利用する場合がある。スペースやモノについても同様である。例えばモノは、歯科医師Ａ、Ｂが利用可能であれば、共同の所有物であってもよいし、歯科医師Ａだけの所有物であってもよいし、歯科医師Ｂだけの所有物であってもよいし、他からの借用物でもよい。借用形態は、例えば、リース、レンタル、サブスクリプションである。
【００１４】
図１に示すように、歯科診療管理システムＳでは、診療提供者端末１０Ａ，１０Ｂと、利用者端末３０Ａ〜３０Ｆと、管理サーバ１００と、がネットワークＮＷを介して通信可能に接続されている。診療提供者端末１０Ａは、歯科医師Ａが使用する情報端末であり、診療提供者端末１０Ｂは、歯科医師Ｂが使用する情報端末である。利用者端末３０Ａは、診療を要求する利用者Ａが使用する情報端末であり、利用者端末３０Ｂは、利用者Ｂが使用する情報端末である。利用者端末３０Ｃは、利用者Ｃが使用する情報端末であり、利用者端末３０Ｄは、利用者Ｄが使用する情報端末である。利用者端末３０Ｅは、利用者Ｅが使用する情報端末であり、利用者端末３０Ｆは、利用者Ｆが使用する情報端末である。各情報端末は、例えば一般的なパーソナルコンピュータやスマートフォン等から構成される。なお、利用者の人数はこの限りではない。
【００１５】
管理サーバ１００は、利用者端末３０Ａ〜３０Ｆからの診療要求を受け付けるＷｅｂサーバの機能と管理機能として、割当手段１１２を備えている。割当手段１１２は、利用者端末からの診療要求に応じて、診療時間毎に歯科医師（診療提供者）に関連付けて、リソース、スペースおよびモノのいずれか複数を割り当てた割当情報５００を生成するものである。なお、管理サーバ１００の管理者は、歯科医師Ａ，Ｂでもよし、または外部委託者でもよい。
【００１６】
利用者端末からの診療要求は、少なくとも主訴情報を含む。主訴は、利用者が歯科医師に申し立てる主な症状である。主訴情報は、具体的には、例えば、「歯が痛い」、「歯がしみる」、「詰め物が取れた」、「被せ物が取れた」、「歯科検診」、「入れ歯が合わない」、「入れ歯が壊れた」、「歯の矯正治療」、「歯茎が腫れた」、「顎が痛い」、「インプラント治療」、「根管治療」、「歯周病治療」等といった情報である。
【００１７】
利用者端末３０Ａ〜３０Ｆからの診療要求には日程の希望や診療場所の希望を含むことも可能である。この診療要求には、複数の歯科医師Ａ、Ｂの中の１人を指名する指名情報を含むこともできる。これにより、利用者は、自らインターネット情報、あるいはテレビ・ラジオ・雑誌等の他のマスメディアの情報から知見した希望の医師に診療要求を申し込むことが可能である。診療要求に指名情報を含めることで、利用者に高品質の診療を提供することができる。
【００１８】
ここで、診療要求の具体例について図２を参照して説明する。図２は、図１の歯科診療管理システムにおける診療要求の一例であって、図２（ａ）は利用者Ａの診療要求、図２（ｂ）は利用者Ｂの診療要求をそれぞれ示している。利用者Ａは、氏名や連絡先を事前登録する。事前登録は、利用者端末３０Ａを用いると便利である。利用者Ａは、診療（初診）を申し込む際には、利用者端末３０Ａを操作して、管理サーバ１００によって提供するＷｅｂページにアクセスし、利用者端末３０Ａの画面表示にしたがって所定事項を選択入力する。
【００１９】
図２（ａ）に示すように、まず、利用者Ａは、例えば、主訴選択メニューから主訴を選択入力する（Ｓ１０１）。ここでは、利用者Ａは、例えば［歯がしみる］を選択入力する。次に、利用者Ａは、日程の希望を選択入力する（Ｓ１０２）。具体的には、利用者Ａは、第１段階として診療の希望日を選択する。このとき、Ｗｅｂページに例えばカレンダー等を表示させ、希望日を選択させる。そして、利用者Ａは、第２段階として希望の時間帯を選択する。このとき、Ｗｅｂページに例えば各時間帯の開始時刻をそれぞれ表示させ、希望の時間帯を選択させる。ここでは、利用者Ａは、例えば［4月3日9:00〜10:00］を選択入力する。
【００２０】
また、必須ではないが、診療場所の候補がある場合、利用者Ａは、診療場所の希望を選択入力する（Ｓ１０３）。この例では、Ｗｅｂページに例えば歯科医師Ａ、Ｂが共有する診療場所（東京都港区Ｍ医院）を表示させ、希望の歯科医院を選択させる。
【００２１】
また、必須ではないが、担当医師の希望がある場合、利用者Ａは、担当医師の氏名を選択入力する（Ｓ１０４）。この例では、Ｗｅｂページに、例えば診療場所を共有する歯科医師Ａの氏名、歯科医師Ｂの氏名をそれぞれ表示させ、希望の歯科医師を選択させる。
ここでは、利用者Ａは、例えば［歯科医師Ａ］を選択入力する。
【００２２】
同様に、図２（ｂ）に示すように、利用者Ｂは、利用者Ａの後に続いて、診療（初診）を申し込む際に、利用者端末３０Ｂを操作して、例えば、主訴選択メニューから主訴を選択入力する（Ｓ１１１）。ここでは、利用者Ｂは、例えば［詰め物が取れた］を選択入力する。次に、利用者Ｂは、日程の希望を選択入力する（Ｓ１１２）。ここでは、利用者Ｂは、例えば、［4月3日9:00〜10:00］を選択入力する。
【００２３】
また、必須ではないが、利用者Ｂは、診療場所の希望を選択入力する（Ｓ１１３）。ここでは、利用者Ｂは、例えば［指定なし］の項目を選択入力する。すると、管理サーバ１００側では、歯科医師Ａ、Ｂが共有する診療場所（東京都港区Ｍ医院）を自動選択する。また、必須ではないが、担当医師の希望がある場合、利用者Ｂは、担当医師の氏名を選択入力する。（Ｓ１１４）。この例では、利用者Ｂは、例えば［指定なし］の項目を選択入力する。初診時には、利用者の希望が無ければ、日程の空いている医師等を自動選択する。この例では、上記Ｍ医院では、利用者Ｂの希望時間帯に歯科医師Ａが既に割り付けられているので、管理サーバ１００側では、利用者Ｂに対して、歯科医師Ｂを自動的に割り付ける。
【００２４】
次に、図１を参照して管理サーバ１００の管理機能としての各部の構成を説明する。
管理サーバ１００は、記憶部１２０と、制御手段としての情報取得手段１１１と、割当手段１１２と、登録手段１１３と、修正許可手段１１４と、課金算出手段１１５と、を備えている。
【００２５】
記憶部１２０は、例えば、ＲＯＭ（Read Only Memory）、ＲＡＭ（Random Access Memory）、ＨＤＤ（Hard Disk Drive）等のメモリから構成されている。記憶部１２０は、例えば、スペース情報２００と、リソース情報３００と、モノ情報４００と、割当情報５００と、更新可能に構築された複数のデータベースを記憶している。記憶部１２０は、ネットワークＮＷを介して歯科医師（診療提供者）に、閲覧可能に構成されている。
【００２６】
スペース情報２００は、歯科医師（診療提供者）に関連付けて割り当てられるスペースに関する情報である。スペース情報２００は、個別のスペースを識別する識別情報を含んでいる。スペース情報２００は、例えば複数の診療室をそれぞれ識別する情報を含んでいる。本明細書において、スペースとは、階層的に示されるそれぞれの空間を総称した概念的な用語である。スペースには、医院スペース、院内の診療室単位のスペース、室内が間仕切りされた診療区画スペース、明確な間仕切りはないものの診療提供者と利用者が主に定在する最小単位の診療台付近のスペース等を含む。医院スペースは、例えば診療室・待合室・窓口（受付、会計）・放射線室・事務室等が配置されたスペースである。医院スペースは、別の観点からは、例えば、戸建ての建物全体スペース、フロアスペースあるいはテナントスペースを意味する。
【００２７】
図３に示すスペース情報２００は、上記医院スペースを特定する情報を含んでいることを模式的に示している。ここでは、スペース情報２００は、立地の良い場所に確保されており、図１の歯科医師Ａ、Ｂ（図３では符号１Ａ，１Ｂで示す）が共有する診療場所（東京都港区Ｍ医院）であるものとする。スペース情報２００は、図３に示すように、スペース情報２０１〜２０６を含んでいる。スペース情報２０１は、院内の２０１号室（診療室）を特定する情報を含んでいる。
スペース情報２０２は、院内の２０２号室（診療室）を特定する情報を含んでいる。
スペース情報２０３は、院内の２０３号室（診療室）を特定する情報を含んでいる。
スペース情報２０４は、院内の共有スペースを特定する情報を含んでいる。ここで、共有スペースは、例えば利用者の待合室や、使用器具を洗浄・滅菌する場所等である。
スペース情報２０５は、院内のレントゲン室Ａを特定する情報を含んでいる。
スペース情報２０６は、院内のレントゲン室Ｂを特定する情報を含んでいる。
【００２８】
リソース情報３００は、歯科医師（診療提供者）に関連付けて割り当てられるリソースに関する情報である。リソース情報３００は、個別のリソースを識別する識別情報を含んでいる。リソース情報３００は、例えば複数のアシスタントをそれぞれ識別する情報を含んでいる。割り当てられるリソースには、人材リソース（ヒューマンリソース）と、ソフトウェアリソース（コンピューティングリソース）とを含む。
人材リソースには、例えばアシスタント、歯科衛生士、医療事務担当者を含んでいる。アシスタントは、歯科医師や歯科衛生士の補助、使用器具の準備、洗浄、滅菌処理、片付け、清掃、受付、医療事務の補助等の少なくとも１つの業務を行う。
ソフトウェアリソースは、例えば各種の画像処理ソフトウェア、画像診断ソフトウェア、医療診断ソフトウェア等の高度技術ソフトウェアを含んでいる。
【００２９】
図３に示すリソース情報３００は、上記リソースの一例を特定する情報を含んでいることを模式的に示している。ここでは、リソース情報３００は、人材リソースとして、歯科衛生士２Ａ，２Ｋと、アシスタント４Ａ，４Ｂと、を特定する情報を含んでいる。また、リソース情報３００は、ソフトウェアリソースとして、咬合解析ソフトウェアと、ＣＡＤ・ＣＡＭソフトウェアと、を特定する情報を含んでいる。
【００３０】
モノ情報４００は、歯科医師（診療提供者）に関連付けて割り当てられるモノに関する情報である。モノ情報４００は、個別のモノを識別する識別情報を含んでいる。モノ情報４００は、例えば複数の診療台をそれぞれ識別する情報を含んでいる。割り当てられるモノには、例えば診療台（診療ユニット）、Ｘ線撮影装置、パノラマＸ線撮影装置、ＣＴ装置、歯科用ＣＡＤ・ＣＡＭ装置、口腔内スキャナ装置、ＯＣＴ装置、マイクロスコープ、滅菌装置、レーザ装置、咬合診断装置等を含む。
また、モノには、診療インスツルメント（診療台装備品）を含む。この診療インスツルメントは、例えばタービン、マイクロモータ、超音波スケーラ、エアスケーラ、３Wayシリンジ、光重合照射器、口腔内カメラ、バキューム、排唾管等である。
また、モノには、小型診療装置を含む。この小型診療装置は、例えば光重合器、根管長測定器、根管拡大モータ、プローブ、歯周病菌検査装置等である。図３に示すモノ情報４００は、上記モノの一例を特定する情報を含んでいることを模式的に示している。
【００３１】
割当情報５００は、割当手段１１２の処理によって生成される情報である。割当情報５００は、リソース情報３００、スペース情報２００およびモノ情報４００のいずれか複数を診療時間毎に歯科医師（診療提供者）に関連付けて割り当てられた情報である。割当情報の一例を図４〜図６に示す。図４に示す割当情報は、例えば4月3日の9:00〜10:00の時間帯（図２（ａ）参照）、10:00〜11:00の時間帯、11:00〜12:00の時間帯に、歯科医師Ａに関連付けて、リソース、スペースおよびモノを割り当てた情報である。なお、図４等の図面や明細書記載において、＃は同じ種類の診療機器が複数存在することを表し、＃に続く番号で個別の診療機器を区別している。また、特定の診療台に接続されるインスツルメントの番号（例えば上１ケタ）には、その診療台の番号（例えば下１ケタ）が含まれている。具体的には、図４において「タービン＃101」および「タービン＃102」は、診療台＃01と着脱分離可能なインスツルメントであり、「プローブ＃308」は、診療台＃03と着脱分離可能なインスツルメントである。
【００３２】
図５に示す割当情報は、例えば4月3日の9:00〜10:00の時間帯（図２（ｂ）参照）、10:00〜11:00の時間帯、11:00〜12:00の時間帯に、歯科医師Ｂに関連付けて、リソース、スペースおよびモノを割り当てた情報である。図５において「マイクロモータ＃201」、「スケーラ＃202」、「タービン＃203」および「プローブ＃205」は、診療台＃02と着脱分離可能なインスツルメントである。なお、図５において、時間帯「10:00」の利用者Ｄの主訴［根管治療］に対する３つの治療方法は、次の通りである。
【００３３】
治療方法「抜髄」は、神経の除去のことであって、根管内の歯髄をクレンザーやリーマ、ファイルで除去することである。
治療方法「根管拡大」は、根管の拡大および形成のことであって、根管内の汚染物質や汚染された象牙質をリーマ、ファイルで切削除去し、その後の充填のために、器具が入りやすいように拡大した根管を形成することである。
治療方法「根管充填」は、形成された根管を洗浄および消毒した後に、根管の空隙内に、天然樹脂のガッタパーチャーポイントと呼ばれる充填剤、またはその他の根管充填材を挿入し封鎖することである。
【００３４】
また、図５において、時間帯「11:00」の利用者Ｆの主訴［歯周病治療］に対する治療方法「プロービング」は、測定のことであって、目盛のついた器具（ペリオポケットプローブ）によって、歯周にできたポケットの深さを測ることである。また、「スケーリング」は、歯石除去のことであって、歯の歯肉より上の部分と下の部分（歯肉縁下）に付着している歯石を、専用器具（スケーラ）や超音波スケーラで除去することである。
【００３５】
図６に示す割当情報は、例えば4月3日の9:00〜10:00の時間帯（図２（ａ）および図２（ｂ）参照）に、歯科医師Ａ，Ｂに関連付けて、リソース、スペースおよびモノ（図４および図５参照）を割り当てた情報である。
【００３６】
記憶部１２０には、図示しない更新可能な複数のデータベースが記憶されている。そのようなデータベースには、診療情報データベース、診療提供者データベース、診療方法データベース、モノデータベース、リソースデータベース、スペースデータベースを含む。診療情報データベースは、例えば、利用者のカルテ情報、予約情報、レセプト情報等を含む。診療提供者データベースは、歯科医師Ａ、Ｂの個人情報やスケジュールを含む。診療方法データベースは、主訴情報毎に構築されたデータベースである。モノデータベース、リソースデータベースおよびスペースデータベースは、診療方法毎に構築されたデータベースである。なお、診療情報データベースは、例えばレセプトコンピュータに記憶しておき、管理サーバ１００との間で情報をやりとりするようにしてもよい。また、他のデータベースも管理サーバ１００以外で記憶するようにしてもよい。
【００３７】
情報取得手段１１１は、スペース情報２００、リソース情報３００、モノ情報４００等を外部から取得して記憶部１２０に格納するものであり、割当手段１１２の制御の下、記憶部１２０から必要な情報を読み出す。情報取得手段１１１は、例えばマウスやキーボード等の入力装置から入力インタフェースを介して情報を取得する。情報取得手段１１１は、例えば外部装置から通信インタフェースを介して情報を取得する。情報取得手段１１１は、例えばＤＶＤ等の媒体から媒体インタフェースを介して情報を取得する。
【００３８】
割当手段１１２は、主訴情報に基づいて予め準備された診療方法を選択し、選択した診療方法に対して予め定められたリソース、スペースおよびモノを自動的に割り当てることで割当情報５００を生成する。割当手段１１２は、利用者端末からの診療要求に基づいて、記憶部１２０の診療提供者データベースを参照して、この診療要求に対して、担当者や診療時間帯を割り付ける。割当手段１１２は、利用者端末からの診療要求に基づいて、記憶部１２０の診療方法データベースから、この診療要求に対する診療方法を抽出する。割当手段１１２は、抽出した診療方法に基づいて、記憶部１２０のモノデータベース、リソースデータベースおよびスペースデータベースから、この診療方法に必要なモノ、リソース、スペースを抽出する。
【００３９】
登録手段１１３は、歯科医師（診療提供者）がネットワークＮＷを介して閲覧可能な記憶部１２０に割当情報５００を登録するものである。登録手段１１３は、割当情報５００として、歯科医師Ａに関連付けた割当情報（図４参照）と、歯科医師Ｂに関連付けた割当情報（図５参照）と、を登録する。
【００４０】
診療要求に含まれる指名情報で指名された歯科医師（診療提供者）が使用する診療提供者端末は、当該診療要求に応じて登録された割当情報５００にアクセスする。具体的には、図２（ａ）に示す例では、歯科医師Ａは、診療提供者端末１０Ａを使用して、利用者Ａの診療要求［歯がしみる］に応じて、歯科医師Ａに関連付けられて登録された割当情報にアクセスすることができる。
【００４１】
修正許可手段１１４は、記憶部１２０に指名情報で特定される歯科医師（診療提供者）に対して登録された割当情報５００において、診療方法と、自動的に割り当てられたリソース、スペースおよびモノと、のうちの少なくとも１つを当該歯科医師（診療提供者）によって修正することを許可するものである。図２（ａ）に示す例では、歯科医師Ａに関連付けられて登録された割当情報については、歯科医師Ａが診療提供者端末１０Ａを使用して管理サーバ１００にアクセスした際に、修正許可手段１１４は、割当情報の修正を許可する。なお、具体例については、後記する。
【００４２】
課金算出手段１１５は、割当情報５００に基づいて、歯科医師（診療提供者）に割り当てられたリソース、スペースおよびモノのそれぞれの単位時間当たりの単価および稼働時間に応じた稼働課金を算出するものである。
【００４３】
本実施形態では、一例として、課金算出手段１１５は、稼働課金として、リソースの稼働時間に対応した課金と、スペースの使用時間に対応した課金と、モノの作動時間に対応した課金と、の和を算出する。この課金方式を以下では、実働時間方式と呼称する。
診療提供者に対する稼働課金Ｃは、次の式（１）で算出される。
Ｃ＝（リソース単価／Ｈ）×稼働時間＋（スペース単価／Ｈ）×使用時間＋（モノ単価／Ｈ）×作動時間                                                ・・・  式（１）
なお、式（１）においてＨは時間［hour］を示す。
【００４４】
式（１）において、リソースの稼働時間やスペースの使用時間は、例えば毎日の診療について記録する日報（電子日報）に入力されている情報に基づいて計測される。日報によれば、例えばアシスタントの出勤時間と退勤時間によりアシスタントの稼働時間が算出される。また、日報によれば、例えば診療室の使用開始時間と使用終了時間により診療室の使用時間が算出される。
【００４５】
また、式（１）においてモノの作動時間は、利用開始時間と利用終了時間とを記録しておいてもよいが、図１に示すように、歯科診療管理システムＳにおいて、作動時間計測手段６００を設けることで、以下のように自動測定することもできる。作動時間計測手段６００は、前記した式（１）におけるモノの作動時間として、診療中に使用する診療機器の実作動時間を計測するものである。作動時間計測手段６００は、ネットワークＮＷを介して管理サーバ１００との間で情報のやりとりをすることができることが好ましい。この場合、作動時間計測手段６００は、診療機器から計測した実作動時間の情報を、ネットワークＮＷを介して管理サーバ１００へ通知する。
【００４６】
作動時間計測手段６００には、例えば、通電時間計測手段を利用することができる。通電時間計測手段は、タービンなど電気駆動の診療機器に有効であり、通常駆動時の電流を検出し、検出電流が通電されている時間を計測する手段である。
また、診療機器に、診療機器の使用時にだけ電波を発信する発信機を装着するようにしてもよい。この場合、作動時間計測手段６００は、発信機からの電波を検出し、検出電波の受信時間を計測することで、診療機器の作動時間を計測する。
作動時間計測手段６００は、電子カルテから治療方法に応じた診療機器の使用時間を計測することも可能である。この場合、例えばＸ線診断（治療方法）に応じたＸ線装置（診療機器）の使用時間は、一般的な値で代替して推定できるので、作動時間計測手段６００は、電子カルテの情報から診療機器の作動時間を計測する。
なお、作動時間計測手段６００は、各診療機器に共通の手段で構成してもよいし、診療機器ごとに異なる手段で構成してもよい。
【００４７】
ここで、実働時間方式の具体例を説明する。例えば、歯科医師Ａの9:00〜10:00までの稼働課金ＣAは、図４の割当情報に基づいて、次の式（２）〜式（５）によって算出される。
ＣA＝ＣRA＋ＣSA＋ＣMA                                          ・・・  式（２）
ＣRA＝アシスタントＡの単価×Ｔ1                                ・・・  式（３）
ＣSA＝２０１号室の単価×Ｔ2＋共有スペースの単価×Ｔ3            ・・・  式（４）
ＣMA＝診療台＃01の単価×Ｔ4＋ＯＣＴ装置の単価×Ｔ5＋光重合器＃02の単価×Ｔ6＋タービン＃101の単価×Ｔ7＋滅菌装置の単価×Ｔ8                    ・・・  式（５）
ここで、ＣRAはリソースの稼働課金、ＣSAはスペースの稼働課金、ＣMAはモノの稼働課金を表す。またＴ1は稼働時間、Ｔ2，Ｔ3は使用時間、Ｔ4〜Ｔ8は作動時間を表す。
【００４８】
同様に、歯科医師Ｂの9:00〜10:00までの稼働課金ＣBは、図５の割当情報に基づいて、次の式（６）〜式（９）によって算出される。
ＣB＝ＣRB＋ＣSB＋ＣMB                                          ・・・  式（６）
ＣRB＝衛生士Ｋの単価×Ｔ1＋ＣＡＤ・ＣＡＭソフト単価×Ｔ2        ・・・  式（７）
ＣSB＝２０２号室の単価×Ｔ3＋レントゲン室Ａの単価×Ｔ4＋共有スペースの単価×Ｔ5
・・・  式（８）
ＣMB＝診療台＃02の単価×Ｔ6＋Ｘ線装置の単価×Ｔ7＋タービン＃203の単価×Ｔ8＋スキャナ装置の単価×Ｔ9＋ＣＡＤ・ＣＡＭ装置の単価×Ｔ10＋マイクロモータ＃201の単価×Ｔ11＋滅菌装置の単価×Ｔ12                                      ・・・  式（９）
ここで、ＣRBはリソースの稼働課金、ＣSBはスペースの稼働課金、ＣMBはモノの稼働課金を表す。またＴ1，Ｔ2は稼働時間、Ｔ3〜Ｔ5は使用時間、Ｔ6〜Ｔ12は作動時間を表す。
【００４９】
また、課金算出手段１１５は、稼働課金として、リソース、スペースおよびモノのすべてに共通する予め設定された拘束時間に対応した課金を算出するように構成しても構わない。この課金方式を以下では、拘束時間方式と呼称する。
この場合、診療提供者に対する稼働課金Ｃは、次の式（１０）で算出される。
Ｃ＝（リソース単価／Ｈ＋スペース単価／Ｈ＋モノ単価／Ｈ）×拘束時間・・・式（10）
なお、式（10）においてＨは時間［hour］を示す。
【００５０】
ここで、拘束時間方式の具体例を説明する。例えば、歯科医師Ａの9:00〜10:00までの稼働課金ＣAは、図４の割当情報に基づいて、次の式（11）〜式（14）によって算出される。
ＣA＝ＣRA＋ＣSA＋ＣMA                                            ・・・  式（11）
ＣRA＝アシスタントＡの単価×１時間                              ・・・  式（12）
ＣSA＝（２０１号室の単価＋共有スペースの単価）×１時間          ・・・  式（13）
ＣMA＝（診療台＃01の単価＋ＯＣＴ装置の単価＋光重合器＃02の単価＋タービン＃101の単価＋滅菌装置の単価）×１時間                                  ・・・  式（14）
ここで、ＣRAはリソースの稼働課金、ＣSAはスペースの稼働課金、ＣMAはモノの稼働課金を表す。
【００５１】
同様に、歯科医師Ｂの9:00〜10:00までの稼働課金ＣBは、図５の割当情報に基づいて、次の式（15）〜式（18）によって算出される。
ＣB＝ＣRB＋ＣSB＋ＣMB                                           ・・・  式（15）
ＣRB＝（衛生士Ｋの単価＋ＣＡＤ・ＣＡＭソフト単価）×１時間      ・・・  式（16）
ＣSB＝（２０２号室の単価＋レントゲン室Ａの単価＋共有スペースの単価）×１時間
・・・  式（17）
ＣMB＝（診療台＃02の単価＋Ｘ線装置の単価＋タービン＃203の単価＋スキャナ装置の単価＋ＣＡＤ・ＣＡＭ装置の単価＋マイクロモータ＃201の単価1＋滅菌装置の単価）×１時間                                                           ・・・  式（18）
【００５２】
上記構成の管理サーバ１００は、ＣＰＵ（Central Processing Unit）、メモリ、入出力インタフェース、通信インタフェース、媒体インタフェース等のハードウェアを備えており、ＣＰＵがＲＯＭ等から読み出したプログラムをＲＡＭに展開して実行することで上記制御手段として機能する。
【００５３】
［管理サーバの動作］
次に、管理サーバ１００の動作について図７〜図９を参照して説明する。
（診療要求処理）
まず、図７を参照する。管理サーバ１００は、利用者端末３０Ａ〜３０Ｆから診療要求を受けると、図７に示す診療要求処理を行う。まず、管理サーバ１００の割当手段１１２は、例えば利用者端末３０Ａからの診療要求（図２（ａ）参照）に基づき、担当医師の割り付けを行う（ステップＳ１２１）。ここで、例えば歯科医師Ａ（図２（ａ）参照）が割付けられる。そして、割当手段１１２は、診療要求に基づき、診療時間の割り付けを行う（ステップＳ１２２）。次いで、割当手段１１２は、診療要求から治療方法を自動抽出する（ステップＳ１２３）。すなわち、割当手段１１２は、診療要求に含まれる主訴情報に基づき、治療方法データベースから、主訴に適した治療方法を自動抽出する。そして、割当手段１１２は、治療方法に必要なモノを自動抽出し（ステップＳ１２４）、治療方法に必要なリソースを自動抽出し（ステップＳ１２５）、治療方法に必要なスペースを自動抽出する（ステップＳ１２６）。ここで、ステップＳ１２４〜Ｓ１２６の処理は、その実行順序が任意である。こうして、割当手段１１２は、例えば歯科医師Ａの割当情報（図４参照）を生成する。管理サーバ１００の登録手段１１３は、例えば歯科医師Ａの割当情報を記憶部１２０に登録する。
【００５４】
（治療方法修正処理）
次に、図８を参照（適宜図９参照）する。例えば歯科医師Ａは、診療提供者端末１０Ａを操作して、管理サーバ１００の記憶部１２０に記憶されている自分の割当情報にアクセスする。ここでは、図４に示すように、４月３日の例えば９：００から１０：００の時間帯の主訴［歯がしみる］に対して、歯科医師Ａに関連付けて、所定の治療方法、リソース、スペースおよびモノが割り当てられていることとする。
【００５５】
歯科医師Ａは、診療提供者端末１０Ａの画面に表示された治療方法（図４および図９（ａ）参照）が適切かどうかを判別する（ステップＳ１３１）。なお、ここでは、図９（ｂ）に示すように、自動選択された治療方法“ＯＣＴ診断”には、モノ“ＯＣＴ装置”が自動抽出されており、治療方法“複合レジン充填”には、モノ“光重合器”が自動抽出されている。歯科医師Ａは、治療方法が適切であると判断した場合（ステップＳ１３１：Ｙｅｓ）、診療提供者端末１０Ａの画面上の操作により、確定ボタンを押す。これにより、管理サーバ１００の割当手段１１２は、自動選択された治療方法にて必要なモノ、リソース、スペースを適用する（ステップＳ１３７）。
【００５６】
一方、歯科医師Ａは、治療方法が適切ではないと判断した場合（ステップＳ１３１：Ｎｏ）、治療方法を手動選択する操作を行う（ステップＳ１３２）。このとき、管理サーバ１００の修正許可手段１１４は、例えば、歯科医師Ａの割当情報にアクセスしている診療提供者端末１０Ａに対して、本人確認のための認証処理を行うことで割当情報の修正を許可する。
【００５７】
そして、歯科医師Ａは、診療提供者端末１０Ａの画面上の操作により、例えば治療方法の他の候補を表示させる操作を行う。そして、歯科医師Ａは、他の候補の中から適切だと思われる治療方法を選択する操作と、その選択を確定させる操作と、を行う。複数の治療方法のうち、修正しないものがあってもよく、１つの治療方法を２つの治療方法の組合せに修正してもよい。ここでは、治療方法“ＯＣＴ診断”（図９（ａ）参照）は、治療方法“Ｘ線診断”（図９（ｃ）参照）に変更される。また、治療方法“複合レジン充填”（図９（ａ）参照）は、治療方法“インレイ製作”と“咬合調整”の組合せ（図９（ｃ）参照）に変更される。
【００５８】
これにより、管理サーバ１００の割当手段１１２は、手動選択された治療方法にて必要なモノ、リソース、スペースを自動抽出する（ステップＳ１３３）。ここでは、図９（ｄ）に示すように、修正された治療方法“Ｘ線診断”には、モノ“Ｘ線装置”が自動抽出されており、治療方法“インレイ製作”には、モノ“スキャナ装置”と“ＣＡＤ・ＣＡＭ装置”の組合せが自動抽出されている。また、治療方法“咬合調整”には、モノ“マイクロモータ”が自動抽出されている。
【００５９】
歯科医師Ａは、治療方法の修正によって自動選択されたモノ、リソース、スペースが適切かどうかを判別する（ステップＳ１３４）。歯科医師Ａは、モノ、リソース、スペースが適切であると判断した場合（ステップＳ１３４：Ｙｅｓ）、診療提供者端末１０Ａの画面上の操作により、確定ボタンを押す。これにより、管理サーバ１００の割当手段１１２は、修正された治療方法に対して、自動選択されたモノ、リソース、スペースを適用する（ステップＳ１３５）。
【００６０】
上記ステップＳ１３４において、モノ、リソース、スペースが適切ではないと判断した場合（ステップＳ１３４：Ｎｏ）、歯科医師Ａは、モノ、リソース、スペースを手動選択する（ステップＳ１３６）。例えば、モノやリソースが適切であってもスペースが不適切な場合もある。この例では、修正された治療方法“Ｘ線診断”に必要なモノ“Ｘ線装置”を利用するために、例えばスペース“レントゲン室Ａ”が必要となるので、そのスペースを選択する操作と、その選択を確定させる操作と、を行う。この場合、管理サーバ１００の割当手段１１２は、修正された治療方法に対して、自動抽出されたモノ、リソースと、一部修正されたスペースを適用する。
以上の通り、管理サーバが動作することで、治療方法修正処理が実施される。
【００６１】
現今の日本では、歯科医師が過剰であると言われており、開業医師の収入が伸び悩む時代背景がある。しかしながら、歯科診療管理システムＳによれば、２人以上の歯科医師が、リソース、スペース、モノを共有して診療を提供することができる。そのため、歯科診療管理システムＳは、高額な装置や機材の共有化を計ることで、開業資金がなくても独立できるような職場や、患者との信頼関係を構築し易い環境づくりに貢献することができる。また、歯科診療管理システムＳは、最小限のリソース、スペース、モノを使って開業できる仕組みを提供し、フリーランス医師による新形態の医療活躍の場を構築することができる。
【００６２】
（変形例）
歯科診療管理システムＳは、次のように変形して実施することができる。例えば、歯科医師Ａ，Ｂが共有するモノには、歯科医師Ａ，Ｂが共有するスペース以外の外部で滅菌された歯科用インスツルメントを含むことができる。歯科用インスツルメントを滅菌する外部とは、例えば図１０の外注滅菌業者７００を意味する。図１０に示す割当情報の模式図は、図６に示す割当情報の模式図に外注滅菌業者７００を追加した説明図である。
【００６３】
図１０に示すように、２０１号室に割り当てられた「タービン＃101」と、２０２号室に割り当てられた「タービン＃203」、「マイクロモータ＃201」とは、使用前後に滅菌処理が必要なモノである。ここで、「タービン＃101」は、２０１号室に割り当てられた「診療台＃01」と着脱分離可能なインスツルメントであり、「マイクロモータ＃201」および「タービン＃203」は、２０２号室に割り当てられた「診療台＃02」と着脱分離可能なインスツルメントである。これらの滅菌処理について、図６に示す割当情報では、共有スペースに配置される滅菌装置を共用することを前提にしていた。また、２０１号室には滅菌処理を行うアシスタント４Ａを必要としていた。
【００６４】
一方、図１０に示す例では、外注滅菌業者７００は、事前に滅菌装置７１０を使用して、「タービン＃101」、「タービン＃203」、「マイクロモータ＃201」を滅菌処理した上で、診療時間に間に合うように、歯科医師Ａ、Ｂが共有する診療場所（東京都港区Ｍ医院）に配送する。そして、外注滅菌業者７００は、使用済みのインスツルメントを回収し、清掃、滅菌、保管をして必要に応じて再び配送する。このように外注することによって、滅菌担当者の人件費がかからない効果を奏する。
【００６５】
また、歯科用インスツルメントは、その使用個数に応じて定額料金にて管理されたインスツルメントであってもよい。このようにサブスクリプション方式を採用することで、必要な個数だけインスツルメントを外注し、いつでも必要な個数だけ滅菌済みのインスツルメントを利用することが可能となる。
【００６６】
また、課金算出手段１１５は、歯科医師Ａ、Ｂが共有する再使用可能なモノについて、モノの累積使用回数が増加するほど、当該モノの単位時間当たりの単価を低く変化させて稼働課金を算出するように構成してもよい。例えば、１００回使用したことのあるインスツルメントの単価は、新品のインスツルメントの単価よりもディスカウントしてもよい。また、旧バージョンのソフトウェアの単価は、新バージョンソフトウェアの単価よりもディスカウントしてもよい。
なお、各歯科医師Ａ、Ｂが個別の利用者の診療に用いる薬剤は共用できないが、薬剤の仕入れを共有してコスト低減を図ってもよい。
【００６７】
［第２実施形態］
本発明の第２実施形態に係る歯科診療管理システムの構成について、図１１を参照して説明する。なお、図１に示す構成と同じ構成には同じ符号を付して説明を適宜省略する。図１１に示す歯科診療管理システムＳｂは、複数の診療提供者が、リソースと、スペースと、モノと、を共有する歯科診療を管理するシステムである。一例として、２人の歯科衛生士（歯科衛生士Ａ、歯科衛生士Ｂ）が、リソース、スペースおよびモノを共有するデンタルエステについて説明する。歯科診療管理システムＳｂでは、診療提供者端末２０Ａ，２０Ｂと、利用者端末３０Ｇ〜３０Ｊと、管理サーバ１００Ｂと、がネットワークＮＷを介して通信可能に接続されている。
【００６８】
診療提供者端末２０Ａは、歯科衛生士Ａが使用する情報端末であり、診療提供者端末２０Ｂは、歯科衛生士Ｂが使用する情報端末である。利用者端末３０Ｇは、診療を要求する利用者Ｇが使用する情報端末であり、利用者端末３０Ｈは、利用者Ｈが使用する情報端末である。利用者端末３０Ｉは、利用者Ｉが使用する情報端末であり、利用者端末３０Ｊは、利用者Ｊが使用する情報端末である。なお、利用者の人数はこの限りではない。
管理サーバ１００Ｂは、利用者端末３０Ｇ〜３０Ｊからの診療要求を受け付けるＷｅｂサーバの機能と管理機能として、割当手段１１２を備えている。
【００６９】
利用者端末からの診療要求は、少なくとも主訴情報を含む。主訴は、利用者が歯科衛生士等に申し立てる主な症状である。主訴情報は、具体的には、例えば、「口臭が気になる」、「歯を白くしたい」、「歯の汚れ着色が気になる」、「歯のクリーニング」、「口もとを美しくしたい」、「歯並び相談」、「予防歯科」、「歯周病予防」等といった情報である。
【００７０】
ここで、診療要求の具体例について図１２を参照して説明する。図１２は、図１１の歯科診療管理システムにおける診療要求の一例であって、図１２（ａ）は利用者Ｇの診療要求、図１２（ｂ）は利用者Ｈの診療要求をそれぞれ示している。
利用者Ｇ，Ｈは、氏名や連絡先を事前登録する。利用者Ｇは、診療（初診）を申し込む際には、利用者端末３０Ｇを操作して、管理サーバ１００Ｂによって提供するＷｅｂページにアクセスし、利用者端末３０Ｇの画面表示にしたがって所定事項を選択入力する。
【００７１】
図１２（ａ）に示すように、まず、利用者Ｇは、例えば、主訴選択メニューから主訴を選択入力する（Ｓ２０１）。ここでは、利用者Ｇは、例えば［歯を白くしたい］を選択入力する。次に、利用者Ｇは、日程の希望を選択入力する（Ｓ２０２）。ここでは、利用者Ｇは、例えば［4月10日9:00〜10:00］を選択入力する。
【００７２】
また、必須ではないが、診療場所の候補がある場合、利用者Ｇは、診療場所の希望を選択入力する（Ｓ２０３）。例えば、利用者が地域選択を希望する場合は、管理サーバ１００Ｂは、希望に応じた地域を階層的に選択させ、当該地域内に展開しているデンタルエステを抽出する。ここでは、利用者Ｇは地域選択メニューから［赤坂］を選択入力し、管理サーバ１００Ｂは、歯科衛生士Ａ、Ｂが共有する診療場所の１つ（デンタルエステ赤坂店）を抽出する。
【００７３】
また、必須ではないが、担当医師の希望がある場合、利用者Ｇは、担当医師の氏名を選択入力する（Ｓ２０４）。この例では、Ｗｅｂページに、例えば歯科衛生士Ａ、Ｂの氏名、または彼女らを監督指導する歯科医師Ａ，Ｂの氏名をそれぞれ表示させ、担当者を選択させる。ここでは、利用者Ｇは、例えば［指定なし］の項目を選択入力する。管理サーバ１００Ｂは、利用者Ｇが初診であり、利用者の希望が無いことから、日程の空いている歯科衛生士Ａを自動選択する。
【００７４】
同様に、図１２（ｂ）に示すように、利用者Ｈは、利用者Ｇの後に続いて、診療（再診）を申し込む際に、利用者端末３０Ｈを操作して、例えば、主訴選択メニューから主訴を選択入力する（Ｓ２１１）。ここでは、利用者Ｈは、例えば［歯周病予防］を選択入力する。なお、再診であって前回と同じ主訴の場合、この工程をスキップしてもよい。
次に、利用者Ｈは、日程の希望を選択入力する（Ｓ２１２）。ここでは、利用者Ｈは、例えば［4月10日9:00〜10:00］を選択入力する。
【００７５】
また、必須ではないが、利用者Ｈは、診療場所の希望を選択入力してもよい（Ｓ２１３）。この例では、管理サーバ１００Ｂは、再診の実績に基づき、つまり、利用者Ｈが過去に訪れたことのある診療場所に基づき、デンタルエステ青山店を自動的に割り付ける。あるいは、デンタルエステ赤坂店が既に割り付けられているために、空きのあるデンタルエステ青山店を自動的に割り付ける。
【００７６】
また、必須ではないが、担当医師の希望がある場合、利用者Ｈは、担当医師の氏名を選択入力する（Ｓ２１４）。この例では、利用者Ｈの希望時間帯に歯科衛生士Ａが既に割り付けられているので、管理サーバ１００Ｂ側では、利用者Ｈに対して、歯科衛生士Ｂを自動的に割り付ける。あるいは、利用者Ｈの希望時間帯の直前に、デンタルエステ青山店に歯科衛生士Ｂが割り付けられているために、歯科衛生士Ｂを自動的に割り付ける。
【００７７】
次に、図１１を参照して管理サーバ１００Ｂの管理機能としての各部の構成を説明する。管理サーバ１００Ｂは、記憶部１２０と、情報取得手段１１１と、割当手段１１２と、登録手段１１３と、修正許可手段１１４と、課金算出手段１１５と、請求書発行手段１１６と、を備えている。記憶部１２０は、例えば、スペース情報２００Ｂと、リソース情報３００Ｂと、モノ情報４００Ｂと、割当情報５００Ｂと、更新可能に構築された複数のデータベースを記憶している。
【００７８】
スペース情報２００Ｂは、歯科衛生士（診療提供者）に関連付けて割り当てられるスペースに関する情報である。本明細書においてスペースの概念は、医院スペースからより狭い下位の階層のスペースを含むだけでなく、医院スペースからより広い上位の階層のスペースを含んでいる。本実施形態では、歯科衛生士Ａ，Ｂは、所在地の異なる２つの医院スペースを共有している。
【００７９】
図１３に示すスペース情報２００Ｂは、所在地の異なる２つの医院スペースを統括したデンタルエステを特定する情報を含んでいることを模式的に示している。スペース情報２００Ｂは、スペース情報２１０と、スペース情報２２０と、を含んでいる。スペース情報２１０は、このデンタルエステの赤坂店を特定する情報を含んでいる。スペース情報２２０は、このデンタルエステの青山店を特定する情報を含んでいる。
【００８０】
リソース情報３００Ｂは、歯科衛生士（診療提供者）に関連付けて割り当てられるリソースに関する情報である。リソース情報３００Ｂにおいて、人材リソースには、例えばアシスタント４Ｄや歯科医師１Ａ，１Ｂを含んでいる。なお、歯科衛生士は、歯科医師の監督の下で診療を提供することができるので、歯科衛生士にとっては、歯科医師はリソースであると言える。リソース情報３００Ｂにおいて、ソフトウェアリソースは、例えばシミュレーションソフトウェアを含んでいる。
【００８１】
モノ情報４００Ｂは、歯科衛生士（診療提供者）に関連付けて割り当てられるモノに関する情報である。モノ情報４００Ｂは、例えばシミュレーション装置、光活性化ライト、診療台、スケーラ、プローブ、歯周病菌検査装置等を特定する情報を含んでいる。
【００８２】
割当情報５００Ｂは、割当手段１１２の処理によって生成される情報である。割当情報５００Ｂは、リソース情報３００Ｂ、スペース情報２００Ｂおよびモノ情報４００Ｂのいずれか複数を診療時間毎に歯科衛生士（診療提供者）に関連付けて割り当てられた情報である。割当情報の一例を図１４〜図１６に示す。図１４に示す割当情報は、例えば4月10日の10:00〜11:00の時間帯（図１２（ａ）参照）、11:00〜12:00の時間帯に、歯科衛生士Ａに関連付けて、リソース、スペースおよびモノを割り当てた情報である。図１４において「プローブ＃601」および「スケーラ＃601」は、診療台＃06と着脱分離可能なインスツルメントである。
【００８３】
図１５に示す割当情報は、例えば4月10日の10:00〜11:00の時間帯（図１２（ｂ）参照）、11:00〜12:00の時間帯に、歯科衛生士Ｂに関連付けて、リソース、スペースおよびモノを割り当てた情報である。図１５において「プローブ＃701」および「スケーラ＃701」は、診療台＃07と着脱分離可能なインスツルメントである。
図１６に示す割当情報は、例えば4月10日の10:00〜11:00の時間帯（図１２（ａ）および図１２（ｂ）参照）に、歯科衛生士Ａ，Ｂに関連付けて、リソース、スペースおよびモノ（図１４および図１５参照）を割り当てた情報である。
【００８４】
管理サーバ１００Ｂは、管理会社によって管理されている。管理会社は、リソース、スペースおよびモノを貸し出すと共に費用を総合管理する管理者である。管理サーバ１００Ｂは、請求書発行手段１１６を備えている点が管理サーバ１００と相違している。請求書発行手段１１６は、割当情報５００Ｂに基づいて、稼働課金を管理者から歯科衛生士Ａ，Ｂ（診療提供者）に請求する請求書を発行するものである。
【００８５】
本実施形態では、一例として、課金算出手段１１５は、拘束時間方式で稼働課金を算出することとする。なお、課金算出手段１１５には実働時間方式を採用してもよく、その場合は、歯科診療管理システムＳｂは、作動時間計測手段６００（図１参照）を備える。
また、課金算出手段１１５は、歯科衛生士Ａ、Ｂが共有する再使用可能なモノについて、モノの累積使用回数が増加するほど、当該モノの単位時間当たりの単価を低く変化させて稼働課金を算出するように構成してもよい。
【００８６】
また、歯科衛生士Ａ，Ｂ（診療提供者）に割り当てられるモノは、例えばデンタルエキスプローラー（探針）、デンタルミラー、ピンセット、バキューム用カニューレ、エキスカベータ等も含まれる。これら滅菌処理を行う必要があるインスツルメントは、外注滅菌業者７００（図１０参照）に滅菌処理を依頼しても構わない。また、これらインスツルメントは、その使用個数に応じて定額料金にて管理されたインスツルメントであってもよい。
【００８７】
審美歯科では、女性の歯科衛生士が医師の指導のもと活躍する場が多くなっている。歯科診療管理システムＳｂによれば、２人以上の歯科衛生士が、管理指導する歯科医師をヒューマンリソースとして含むリソースや、複数の店舗を含むスペース、診療台等のモノを共有して診療を提供することができる。したがって、歯科診療管理システムＳｂは、フリーランス衛生士による新形態の医療活躍の場を構築することができる。
【００８８】
なお、本発明の各実施形態を詳述してきたが、本発明は前記した各実施形態に限られるものではなく、本発明の要旨を逸脱しない範囲の設計変更なども含まれる。
［システム構成の変形例］
例えば、歯科診療管理システムＳの管理サーバ１００が、請求書発行手段１１６（図１１参照）を備えることとしてもよい。また、歯科診療管理システムＳにおいて共有にかかる歯科医師の人数は３人以上でもよい。また、歯科診療管理システムＳにおいて、共有にかかる複数の歯科医師からなる歯科医院が、２つ以上あっても構わない。また、歯科診療管理システムＳは、共有にかかる歯科医院が複数ある場合、各歯科医院に対して、リソース、スペースおよびモノを貸し出すと共に費用を総合管理する管理会社によって運営することができる。
【００８９】
［管理サーバの診療方法データベースの変形例］
管理サーバ１００の記憶部１２０に記憶された診療方法データベースは、主訴情報毎に構築されたデータベースであるものとしたが、これに限定されるものではない。
診療方法には、一般的な診療方法のほかに、利用者が希望する診療方法も含まれる。一般的な診療方法は、例えば通常のモノ、リソース、薬剤等を利用する低コストの診療方法である。利用者が希望する診療方法は、例えば高品質のモノ、リソース、あるいは薬剤等を利用したり保険がきかなかったりする高コストの診療方法である。
【００９０】
この場合、利用者端末からの診療要求は、主訴情報等のほか、利用者が希望する診療方法をさらに含む。また、管理サーバ１００の割当手段は、主訴情報と利用者が希望する診療方法とに基づいて予め準備されたリソース、スペースおよびモノを自動的に割り当てることで割当情報を生成する。つまり、この場合、管理サーバ１００の記憶部１２０に記憶された診療方法データベースは、主訴情報だけでなく利用者が希望する診療方法毎に構築されたデータベースとなる。
【００９１】
一例として利用者が希望する診療方法は、保険適用外診療であるものとする。利用者端末からの診療要求は、主訴情報等のほか、利用者が希望する診療方法をさらに含む。図２（ａ）に示す例では、利用者Ａが主訴選択メニューから、例えば［詰め物が取れた］という主訴を選択入力したときに、続いて詰めものの種類を選択可能に構成することで、利用者が希望する診療方法を選択入力することができる。具体的には、例えば詰めものの色として、［銀色］、［天然歯と同じ色］の２つの選択肢を予め準備しておく。また、詰めものの色の種類を選択した後に、詰めもの材料名や、その材料を使用する診療が保険適用なのかどうかの情報も利用者が分かるように表示して、色の種類を選び直すことができるようにすることもできる。
【００９２】
ちなみに、銀色の詰めものは、金銀パラジウム合金製で保険適用の対象であるが、天然歯と同じ色の詰め物は、セラミックインレーであって保険適用外となる。これらの情報の提示方法として、例えば、最初に［保険適用］と［保険適用外］の２つの選択肢を予め準備しておき、保険適用なのかどうかの情報と併せて、詰めものの色の種類や詰めもの材料名の情報も同じ画面上で一度に利用者が分かるように表示することが好ましい。
【００９３】
なお、現在は、保険適用診療の場合、利用者が医療費の３割を負担し、保険者が残りの７割を負担するが、保険適用外診療の場合、利用者が医療費の全額（１０割）を負担することになる。利用者が高コストであっても希望する診療方法としては、例えば、より美観が秀でた仕上がりになる診療方法、稀な症状のために限られた高価な薬剤等を必要とする診療方法、より早く治癒する診療方法、より痛みが少なくなる診療方法等を挙げることができる。
【００９４】
この場合の管理サーバ１００が行う診療要求処理について図１７を参照（適宜図７参照）して説明する。ステップＳ１２１〜Ｓ１２３の処理は、図７に示す処理と同様である。ただし、ステップＳ１２３では、管理サーバ１００の割当手段１１２は、診療要求に含まれる主訴情報および保険適用か否かの情報に基づいて、治療方法データベースから、利用者が希望する診療方法であって主訴に適した治療方法を自動抽出する。そして、割当手段１１２は、利用者が希望する診療方法に必要なモノを自動抽出し（ステップＳ３２４）、利用者が希望する治療方法に必要なリソースを自動抽出し（ステップＳ３２５）、利用者が希望する治療方法に必要なスペースを自動抽出する（ステップＳ３２６）。
【００９５】
［管理サーバの割当手段の変形例１］
管理サーバ１００は、利用者端末がアクセスするＷｅｂページを提供するものとしたが、Ｗｅｂページの提供方法は、上記の説明に限定されるものではない。
管理サーバ１００の割当手段１１２は、ネットワークＮＷを介して、利用者端末３０Ａ〜３０Ｆに日程、場所および担当者の少なくとも１つの項目に対する条件が表示されるＷｅｂページ画面の情報を提供することができる。このとき、割当手段１１２は、各利用者端末に表示されたＷｅｂページ画面から選択入力された利用者が希望する条件を診療要求として取得する。そして、その際に、日程、場所および担当者の少なくとも１つの項目に対する条件は、表示時点で利用者によって選択可能に空いている情報のみであることとする。
【００９６】
具体的には、例えば図２（ｂ）の担当医師を指名する際（Ｓ１１４）、利用者Ｂが、［指定なし］の項目を選択入力すると、歯科医師Ｂを自動的に割り付けることとしたが、日程の空いている医師として、歯科医師Ｂが明確に分かるように表示させる。つまり、利用者Ｂの利用者端末３０Ｂに担当医師の候補が表示された時点で、利用者Ｂによって選択可能に空いている情報のみが画面表示される。
【００９７】
また、［指定なし］の項目を設ける場合、管理サーバ１００は、利用者から［指定なし］を選択された後に、各歯科医師のスケジュールデータベースを参照して適切な歯科医師を判別する処理を行う。一方、変形例１のように、空いている情報のみを表示させる場合、利用者が選択入力した後の判別処理が不要となり、処理負荷を低減することができる。
【００９８】
また、例えば図２（ａ）の日程希望を入力する際（Ｓ１０２）、管理サーバ１００は、Ｗｅｂページに例えばカレンダー等を表示させ、希望日を選択させることとしたが、歯科医師Ａが、自らの空いている最短の日程のみを、図１８（ａ）に示すように［ご予約可能日］として利用者Ａの利用者端末３０Ａに表示させることとしてもよい。このように構成することで、利用者Ａにとっても最短の日程を提案することになり、また、診療提供者は、自らの空いている日程で診療を提供するので、診療提供者にとって過負担となることはない。そのため、歯科医師Ａ，Ｂは共に無理のない働き方を行うことができ、長期に亘って安定的に診療を提供することができる。また、この変形例１は、診療提供者の人数が少ない小規模の歯科診療管理システムにおいて特に有効である。
【００９９】
［管理サーバの割当手段の変形例２］
管理サーバ１００の割当手段１１２は、ネットワークＮＷを介して、利用者端末３０Ａ〜３０Ｆに日程、場所および担当者の少なくとも１つの項目に対する条件が表示されるＷｅｂページ画面の情報を提供する際に、利用者の希望をもっと考慮したＷｅｂページの提供方法を実施することもできる。この場合、日程、場所および担当者の少なくとも１つの項目に対する条件には、少なくとも１つの代替案が予め準備されている。そして、割当手段１１２は、前記項目に対する条件を選択した利用者に対して当該条件を提供できない場合、前記項目に対する条件に対して準備されている代替案を提示することとする。
【０１００】
具体的には、例えば図２（ａ）の日程希望を入力する際（Ｓ１０２）、管理サーバ１００は、歯科医師Ａが、自らの空いている複数の日程を、図１８（ｂ）に示すように［ご予約可能日］として利用者Ａの利用者端末３０Ａに表示させることとしてもよい。このように構成することで、直近の日程での診療が利用者Ａに提供できない場合であっても、なるべく早期の診療を希望する利用者Ａの意向にそって代替案を提案することができ、かつ、診療提供者にとって過負担となることもない。そのため、利用者Ａは、希望に沿った診療提供を享受でき、歯科医師Ａは、利用者Ａとの信頼関係に基づいて長期にわたる診療が可能となる。また、この変形例２は、診療提供者の人数が多い大規模の歯科診療管理システムにおいても有効である。
【符号の説明】
【０１０１】
Ｓ，Ｓｂ  歯科診療管理システム
１Ａ，１Ｂ  歯科医師（診療提供者）
２Ａ，２Ｂ  歯科衛生士（診療提供者）
２Ｋ    歯科衛生士
４Ａ，４Ｂ，４Ｄ  アシスタント
１０Ａ，１０Ｂ，２０Ａ，２０Ｂ  診療提供者端末
３０Ａ〜３０Ｊ  利用者端末
１００，１００Ｂ  管理サーバ
１１１  情報取得手段
１１２  割当手段
１１３  登録手段
１１４  修正許可手段
１１５  課金算出手段
１１６  請求書発行手段
１２０  記憶部
２００〜２０６，２００Ｂ，２１０，２２０  スペース情報
３００，３００Ｂ  リソース情報
４００，４００Ｂ  モノ情報
５００，５００Ｂ  割当情報
６００  作動時間計測手段
７００  外注滅菌業者
７１０  滅菌装置
ＮＷ    ネットワーク
【要約】
【課題】診療提供者が働き易いシステムを管理する歯科診療管理システムを提供すること。
【解決手段】歯科診療管理システムＳは、複数の診療提供者が、リソースと、スペースと、モノと、を共有する歯科診療を管理するシステムであって、診療提供者が使用する診療提供者端末１０Ａ，１０Ｂと、診療を要求する利用者が使用する利用者端末３０Ａ〜３０Ｆと、利用者端末３０Ａ〜３０Ｆからの診療要求を受け付ける管理サーバ１００と、がネットワークＮＷを介して通信可能に接続され、管理サーバ１００は、診療要求に応じて、診療時間毎に診療提供者に関連付けて、リソース、スペースおよびモノのいずれか複数を割り当てた割当情報５００を生成する割当手段１１２を備えることを特徴とする。
【選択図】図１【図１】
0006921445.tif 000002
【図２】
0006921445.tif 000003
【図３】
0006921445.tif 000004
【図４】
0006921445.tif 000005
【図５】
0006921445.tif 000006
【図６】
0006921445.tif 000007
【図７】
0006921445.tif 000008
【図８】
0006921445.tif 000009
【図９】
0006921445.tif 000010
【図１０】
0006921445.tif 000011
【図１１】
0006921445.tif 000012
【図１２】
0006921445.tif 000013
【図１３】
0006921445.tif 000014
【図１４】
0006921445.tif 000015
【図１５】
0006921445.tif 000016
【図１６】
0006921445.tif 000017
【図１７】
0006921445.tif 000018
【図１８】
0006921445.tif 000019